【事件の表示】
　平成１１年特許願第２４２２２６号「液晶表示装置およびその製造方法」拒絶査定不服審判事件〔平成１３年　３月１６日出願公開、特開２００１−　６６６１７〕について、次のとおり審決する。
【結　論】
　本件審判の請求は、成り立たない。
【理　由】
１．手続の経緯
　本願は、平成１１年８月２７日の出願であって、平成１４年８月２８日付で拒絶査定がなされ、これに対し、同年１０月３日付で拒絶査定に対する審判請求がなされ、同年１１月５日付で特許法第１７条の２第１項第３号の規定による手続補正がなされたものである。
　
２．平成１４年１１月５日付の手続補正（以下、「本件補正」という。）について
［補正却下の決定の結論］
　平成１４年１１月５日付の手続補正を却下する。
［理由］
（１）補正の内容
　本件補正は、特許請求の範囲の請求項９に「前記共通信号電圧が印加される共通電極線がＣＯＭ電極と同じ層にあるように形成する」点を付加し、下記のように補正することを含むものである。
「【請求項９】透明な第１の基板上に、走査線、ゲート電極および共通電極線を形成する工程と、全面にゲート絶縁膜を形成し、前記ゲート電極の上部に半導体層を形成する工程と、信号線、前記半導体層上にソース電極およびドレイン電極、導通部を形成する工程と、全面にパッシベーション膜を設ける工程と、前記ゲート電極、半導体層、ソース電極およびドレイン電極により形成される薄膜トランジスタの上部に遮光膜を、その他の部分にカラーフィルタを形成する工程と、前記カラーフィルタの上にチャージアップしにくい透明な絶縁材料からなるオーバーコート層を形成し、その上に画素電極と共通信号が印加されるＣＯＭ電極とを形成する
とともに、前記共通信号電圧が印加される共通電極線がＣＯＭ電極と同じ層にあるように形成する
　
（２）当審の判断
　補正された請求項９には、「透明な第１の基板上に、走査線、ゲート電極および共通電極線を形成する工程」の後に、「カラーフィルタの上にチャージアップしにくい透明な絶縁材料からなるオーバーコート層を形成し、その上に画素電極と共通信号が印加されるＣＯＭ電極とを形成する」ものにおいて、それとともに「前記共通信号電圧が印加される共通電極線がＣＯＭ電極と同じ層にあるように形成する」ことが記載されている。すなわち、共通電極線を「透明な第１の基板上」及び「オーバーコート層の上」の両方に形成するものと解される。
　しかし、願書に最初に添付した明細書または図面（以下、「当初明細書」という。）には、共通電極線１４を透明な第１の基板上に、ＣＯＭ電極１２をオーバーコート層上にそれぞれ形成するもの（第１の実施の形態及び第２の実施の形態（図１〜図３）、並びに第３の実施の形態（図８，９））、或いは、共通電極線１４および共通電極線１４と接続されたＣＯＭ電極１２をオーバーコート層１０上に設けるもの（第４の実施の形態（図１０、１１））しか記載されておらず、補正された請求項９に対応する、共通電極線を「透明な第１の基板上」及び「オーバーコート層の上」の両方に形成することについては記載がない。
　よって、本件補正は、当初明細書に記載された事項の範囲内でなされたものではない。
　
（３）むすび
　したがって、本件補正は、特許法第１７条の２第３項の規定に違反するから、特許法第１５９条第１項で準用する特許法第５３条第１項の規定により却下されるべきものである。
　
３．本願発明について
（１）本願発明
　平成１４年１１月５日付の手続補正は上記のとおり却下されたので、本願の請求項に係る発明は、平成１４年７月１７日付手続補正書で補正された明細書及び図面の記載からみて、その特許請求の範囲の請求項１〜９に記載されたとおりのものと認められるところ、請求項１に係る発明（以下、「本願発明」という。）は以下のものである。
「【請求項１】透明な第１の基板と透明な第２の基板の間に液晶が挟持され、支配的に基板に平行な電界を発生し液晶を駆動する液晶表示装置において、前記第１の基板には、走査電圧が印加される走査線と、走査線と電気的に接続されたゲート電極と、信号電圧が印加される信号線と、信号線に電気的に接続されたソース電極と画素電極に電気的に接続されたドレイン電極を備えた薄膜トランジスタとが設置され、これらを含む全面の上層にはカラーフィルタが設置され、前記カラーフィルタの上層にはチャージアップしにくい透明な絶縁材料からなるオーバーコート層が形成され、その上に画素電極と共通信号電圧が印加されるＣＯＭ電極が同じ層で形成されていることを特徴とする液晶表示装置。」
　
（２）引用例記載の発明
　原審の拒絶の理由に引用した、この出願前公知の刊行物である特開平９−２３０３８０号公報（以下、「引用例」という。）には、横電界駆動方式の液晶表示装置に関し、下記の記載が認められる。
「【００６３】（実施例３）
　図７は、本発明の第３の実施例による液晶表示装置１２０の平面図である。図８（ａ）は、図７に示される線Ａ−Ａ’に沿った液晶表示装置１２０の断面を示し、図８（ｂ）は、図７に示される線Ｂ−Ｂ’に沿った断面を示している。図８（ａ）及び（ｂ）に示されるように、液晶表示装置１２０は、アクティブマトリクス基板１２１、対向基板１２２、及びアクティブマトリクス基板１２１と対向基板１２２との間に挟持された液晶層１７を備えている。
【００６４】まず、アクティブマトリクス基板１２１の基本的な構成を説明する。図７及び図８（ａ）に示されるように、アクティブトリクス基板１２１においては、ガラス等の透明絶縁性基板１の上に、ゲート信号線２、ゲート信号線２から分岐したゲート電極２’及び共通電極１５が形成されている。その上に、ゲート絶縁膜３を介して、ゲート信号線２及び共通電極１５と交差するように、ソース信号線８が形成されている。その上に、カラーフィルタ１８及び層間絶縁膜９を介して絵素電極１１及び対向電極１３が形成されている。絵素電極１１及び対向電極１３は、ゲート信号線２及び共通電極１５’に交差しており、各対向電極１３は、対応するソース信号線８に沿って形成されている。
【００６６】ソース信号線８とゲート信号線２との交差部には、各絵素領域に対応するように、スイッチング素子としてＴＦＴ３０が形成されている。図８（ｂ）に示されるように、ＴＦＴ３０は、透明性基板１の上に形成されたゲート電極２’、ゲート絶縁膜３、半導体層４、半導体層４の中央部に形成されたチャネル保護層５、チャネル保護層５の両側に形成されたコンタクト層６ａ及び６ｂを有している。コンタクト層６ａには、ソース信号線８及び下層の透明導電膜７ａが重畳するように接続している。この重畳する部分がソース電極８ａとなる。コンタクト層６ｂには、ドレイン電極８ｂ及び下層の透明導電膜７ｂが重畳するように接続している。ＴＦＴ３０、ゲート信号線２、ソース信号線８を覆うように、層間絶縁膜９’が形成されている。
【００６７】本実施例の層間絶縁膜９’は、各絵素領域を覆うようにして形成された、カラーフィルタ１８となる３色の絶縁膜と、その上に形成された層間絶縁膜９とからなる。・・・カラーフィルタ１８のコンタクトホール２１と層間絶縁膜９のコンタクトホール１０とは、同じ位置に設けられている。
【００６８】図７及び図８（ａ）に示すように、透明導電膜７ｂは絵素電極１１に沿って延長し、ゲート絶縁膜３を介して共通電極１５に重畳している。透明導電膜７ｂが共通電極１５に対向する部分において、絵素電極１１は、層間絶縁膜９に設けられたコンタクトホール１０及びカラーフィルタ１８に設けられたするコンタクトホール２１を通して透明導電膜７ｂに電気的に接続される。
【００６９】本実施例に置いても、実施例１の場合と同様に、図３に示すように、全ての対向電極１３は、絶縁性基板１の表示領域外の部分１３’において相互に接続され、同電位となっている。対向電極１３は、表示領域外の部分１３’においてコンタクトホール１０’を通じて共通電極１５に接続されている。このようにして、共通電極１５と、絵素電極１１と同電位の透明導電膜７ｂとによって、補助容量が形成される。
【００７４】その上に、例えば、感光性アクリル樹脂を用いて層間絶縁膜９を形成する。・・・また、層間絶縁膜９をカラーフィルタ１８の上に形成することにより、層間絶縁膜９’の表面を平坦に形成することができる。尚、層間絶縁膜９は、ポリイミド等の樹脂を用いて形成してもよい。
【００７５】次に、層間絶縁膜９の上に、Ｔａ、Ａｌ等の金属層をスパッタリングによって約５０００〜７０００Åの厚さに形成し、パターニングすることにより、絵素電極１１及び対向電極１３を形成する。絵素電極１１は、層間絶縁膜９に形成されたコンタクトホール１０及びカラーフィルタ１８に形成されたコンタクトホール２１を通して、ドレイン電極８ｂに接続した透明導電膜７ｂに電気的に接続される。本実施例においては、絵素電極１１及び対向電極１３が同一方向に交互に配置され、絵素電極１１と対向電極１３との間隔が実質的に等間隔になるように配置されている。本実施例において、対向電極１３は、層間絶縁膜９’を挟んで表示画面内の全てのソース信号線８上に対向するように形成されている。」
　
　上記によれば、引用例には、
「透明なアクティブマトリクス基板と対向基板との間に挟持された液晶層を備えた横電界駆動方式の液晶表示装置において、
　前記アクティブマトリクス基板の上に、ゲート信号線２、ゲート信号線２から分岐したゲート電極２’及び共通電極１５が形成され、
　その上に、ゲート絶縁膜３を介して、ゲート信号線２及び共通電極１５と交差するように、ソース信号線８が形成され、
　その上に、カラーフィルタ１８及び感光性アクリル樹脂からなる層間絶縁膜９を介して絵素電極１１及び対向電極１３が同じ層で形成されるとともに、全ての対向電極１３は、絶縁性基板１の表示領域外の部分１３’において相互に接続され、コンタクトホール１０’を通じて共通電極１５に接続され、
　前記ソース信号線８と前記ゲート信号線２との交差部には、各絵素領域に対応するように、ソース電極とドレイン電極を備えたＴＦＴ３０が形成され、前記ソース電極とドレイン電極には、それぞれ前記ソース信号線８及び絵素電極１１が電気的に接続されている液晶表示装置」の発明（以下、「引用発明」という。）が記載されている。
　
（３）対比・判断
　引用発明と本願発明とを対比する。
（イ）引用発明の「アクティブマトリクス基板」、「対向基板」は、本願発明の「第１の基板」、「第２の基板」に相当する。
（ロ）引用発明における「横電界駆動方式」は、支配的に基板に平行な電界を発生し液晶を駆動する方式であることは明らかである。
（ハ）引用発明の「ゲート信号線２」、「ソース信号線８」は、本願発明の「走査電圧が印加される走査線」、「信号電圧が印加される信号線」に相当する。
（ニ）引用発明の「層間絶縁膜９」は、本願発明の「絶縁材料からなるオーバーコート層」に相当する。
（ホ）引用発明の「絵素電極１１」及び「ＴＦＴ３０」は、本願発明の「画素電極」及び「薄膜トランジスタ」に相当する。
（ヘ）引用発明の「対向電極１３」は、「相互に接続され、コンタクトホール１０’を通じて共通電極１５に接続され」ているのであるから、本願発明の「共通信号電圧が印加されるＣＯＭ電極」に相当することは明らかである。
　したがって、両者は、
「透明な第１の基板と透明な第２の基板の間に液晶が挟持され、支配的に基板に平行な電界を発生し液晶を駆動する液晶表示装置において、前記第１の基板には、走査電圧が印加される走査線と、走査線と電気的に接続されたゲート電極と、信号電圧が印加される信号線と、信号線に電気的に接続されたソース電極と画素電極に電気的に接続されたドレイン電極を備えた薄膜トランジスタとが設置され、これらを含む全面の上層にはカラーフィルタが設置され、前記カラーフィルタの上層には絶縁材料からなるオーバーコート層が形成され、その上に画素電極と共通信号電圧が印加されるＣＯＭ電極が同じ層で形成されている液晶表示装置」である点で一致し、下記の点で一応相違する。
　
　相違点：本願発明は、オーバーコート層が「チャージアップしにくい透明な」絶縁材料からなるのに対して、引用発明は、層間絶縁膜９が感光性アクリル樹脂からなることの記載はあるが、該アクリル樹脂がチャージアップしにくい透明な絶縁材料であることは明記されていない点。
　
（４）判断
　そこで、上記相違点に付き検討する。
　一般に、アクリル樹脂は透明性の高い材料であり、また引用発明における層間絶縁膜９が透明であることは技術常識である。
　一方、本願発明の第１の実施の形態について、本願明細書には、「感光性で透明性の高いアクリル系ポリマーをフォトリソグラフィ技術によりパターンニングしオーバーコート層１０を形成する。」（【００２４】参照。）および「オーバーコート層１０は顔料等が含まれていないため不純物イオンが少なく殆どチャージアップしない。」（【００２６】参照。）と記載されている。よって、本願明細書には、本願発明の「チャージアップしにくい透明な絶縁材料」として、「感光性のアクリル系ポリマー」が記載されている。
　そうしてみると、引用発明の感光性アクリル樹脂からなる層間絶縁膜９も、感光性アクリル系ポリマーであるのは明らかであるから、本願明細書にいうチャージアップしにくい透明な絶縁材料からなるものということができるので、上記相違点は、実質的な相違とは言えず、本願発明は引用発明と相違しない。
　
　なお、本願発明において、仮に「共通信号電圧が印加される共通電極線がＣＯＭ電極と同じ層にある」点を付加したとしても、引用例の【００６９】には、前掲のとおり、「全ての対向電極１３は、絶縁性基板１の表示領域外の部分１３’において相互に接続され、同電位となっている。対向電極１３は、表示領域外の部分１３’においてコンタクトホール１０’を通じて共通電極１５に接続されている。」ことが記載されており、この「全ての対向電極１３を相互に接続する絶縁性基板１の表示領域外の部分１３’」が「共通信号電圧が印加される共通電極線」に対応することは明らかであるから、この点も引用例に記載されている事項でしかない。
　
　また、原査定の拒絶理由は、特許法第２９条第２項の規定により拒絶したもので、特許法第２９条第１項第３号に該当するというものではないが、審判請求人は、平成１４年７月１７日付意見書において、本願発明と引用例とを対比し、「一方、引例１には、…層間絶縁膜を形成し…液晶表示装置が記載されています。引例１の層間絶縁膜は、本願発明のオーバーコート層に対応すると考えられますが、層間絶縁膜をチャージアップしにくい絶縁材料で形成するという記載は全く見当たりません。」と述べ、容易性の前提として同一性についても検討していることは明らかであるから、上記のとおり特許法第２９条第１項第３号の規定により拒絶すべきものとする。
　
（５）むすび
　以上のとおり、本願発明は、引用例に実質的に記載された発明であるから、特許法第２９条第１項第３号の規定により特許を受けることができない。
　よって、結論のとおり審決する。